(57)【要約】開閉部材を備えることで、従来のキャップを使用せず、芯部材の引き出し、収納及び保護が可能な多用途ケース。この多用途ケースは特定形態だけでなく多様なサイズ及び種類の芯部材を使用することができる。このケースは低コストで製造可能であり、下部キャップを回転するとか引くことにより芯部材を容易に引き出すか収納することができる。このケースは、上部キャップ；端部に開口が形成され、前記上部キャップの下部を収容する下部キャップ；前記下部キャップに固定され、上部キャップの出入口を開閉させる開閉部材；前記下部キャップに収容される回動部材；前記回動部材に収容され、下部キャップの運動によって前記か回動部材が回転するとき、回動部材に形成された螺旋形溝に沿って上部キャップの外側に引き出される芯部材を含む。
2011523367.tif 000002
【特許請求の範囲】
【請求項１】
収容部を備えた上部キャップ；
前記上部キャップの下部を収容し、前方に開口が形成され、前記上部キャップとともにケースの外観をなす下部キャップ；及び
内蔵部；を含んでなり、
前記内蔵部は、
前記下部キャップに固定され、
上部キャップの出入口を開閉させる開閉部材；
前記下部キャップに収容される回動部材；及び
前記回動部材に収容され、下部キャップの運動によって前記回動部材が回転するとき、回動部材に形成された螺旋形溝に沿って上部キャップの外側に引き出される芯部材；を含んでなることを特徴とする、下部キャップの作動によって開閉操作可能な多用途ケース。
【請求項２】
前記回動部材は、
昇降する芯部材を収容し、内周面に前記螺旋形溝が形成された回動部と、前記回動部の下部に備えられ、開閉部材が移動する回動螺旋形突条が外周面に形成された回動棒とを含んでなり、
前記回動棒が下部キャップに固定されて、下部キャップの回転運動に連動して一緒に回転することを特徴とする、請求項１に記載の多用途ケース。
【請求項３】
前記上部キャップの内周面には、前記回動部材の上部外周面に形成された環状突条と対応する環状溝が形成され、
前記上部キャップが固定された状態で前記回動部材が空回転することを特徴とする、請求項１に記載の多用途ケース。
【請求項４】
前記上部キャップの収容部の内周面には前記芯部材の移動路をなす案内溝が形成され、前記芯部材の外周面には前記案内溝に沿ってスライドする案内突起が形成され、
回動部材の回転運動が芯部材の直線運動に変換されることを特徴とする、請求項１に記載の多用途ケース。
【請求項５】
前記芯部材の下部外周面には前記回動部材の螺旋形溝に沿って昇降するようにするための螺旋形突条が形成されることを特徴とする、請求項１に記載の多用途ケース。
【請求項６】
前記螺旋形突条は前記案内突起からずれた方向に形成されるので、前記芯部材が引き出される場合、回動部材の上端に形成された停止端部にかかって回動部材からの離脱が防止されることを特徴とする、請求項５に記載の多用途ケース。
【請求項７】
前記回動部材の螺旋形溝の上端には前記芯部材の螺旋形突条が滞留する滞留溝が形成され、外部に引き出された芯部材が一定圧力以上の場合にだけ内部に収容されることを特徴とする、請求項５に記載の多用途ケース。
【請求項８】
前記開閉部材は、
前記上部キャップの出入口の内径に対応するサイズの断面を持つ開閉ヘッド；
前記開閉ヘッドに連結されるスライドバー；及び
前記スライドバーの下端に結合される嵌合部；を含んでなり、
前記嵌合部の内周面には開閉部材の昇降を可能にする回動螺旋形溝が形成されることを特徴とする、請求項１に記載の多用途ケース。
【請求項９】
前記嵌合部の外周面には回転防止突起が形成され、前記上部キャップの内周面には前記回転防止突起を収容するための直線状の回転防止溝が形成され、
前記下部キャップの回転によって前記回転防止突起が回転防止溝に沿って移動して開閉部材の直線昇降運動を可能にすることを特徴とする、請求項８に記載の多用途ケース。
【請求項１０】
前記下部キャップにはキャップシートが形成され、前記開閉部材は前記キャップシートの上面に堅く結合されるので、前記下部キャップの運動に連動して上下移動することを特徴とする、請求項１に記載の多用途ケース。
【請求項１１】
前記下部キャップのキャップシートの内周面には回動突起が形成され、前記回動部材の外周面には前記回動突起にそって移動する螺旋形溝が形成されることを特徴とする、請求項１０に記載の多用途ケース。
【請求項１２】
前記上部キャップは円形断面を含む多様な形状の断面を有することを特徴とする、請求項１に記載の多用途ケース。
【発明の詳細な説明】
【技術分野】
【０００１】
本発明は、頬紅ブラシやリップブラシなどの化粧に使われる化粧用具、又は、筆記具などの文房用具等として好適に使用される多用途ケースに関する。
【０００２】
より具体的には、本発明は、ケースの内部に開閉部材を備えることで、別のキャップなしに芯部材の引き出し及び収納などの保護が可能なケースにおいて、特定の形態だけでなく多様なサイズ及び種類の芯部材についての使用を可能にしてケースの活用度を高め、部品数を減らして製造コストを節減することができ、ケースの下部を簡単に回すとか引くことで芯部材の引き出し及び収納を可能にする下部キャップの運動による開閉操作が可能な多用途ケースに関する。
【０００３】
頬紅ブラシ、リップブラシ、アイブラシなどの化粧用具は女性の美しさのために使われるもので、化粧をする女性にとってはいつも持っていなければならない必需品である。
【０００４】
このような化粧用具は、携帯の便利性とブラシの汚染防止のために、単純にブラシが露出されている形態から、ブラシにキャップをする形態に変わってきた。
【０００５】
しかし、キャップは、ケースに結合されるがケースとは別個の部品であるため、使用が不便で紛失のおそれがある。そこで、最近はキャップを無くし、ケースの内部に収容されてブラシを取り囲む開閉部材によってキャップの役目をするようにする形態にまで改良されている。
【背景技術】
【０００６】
前記のような従来技術としては、本出願人が出願して登録を受けた、大韓民国実用新案登録第０１７５５２３号（２０００年１月７日登録）の“キャップが不要な化粧用品ケース”、大韓民国特許登録第０３９３３０２号（２００３年７月２１日登録）の“多用途ケース”、及び大韓民国特許登録第０４９４６４０号（２００５年６月１日登録）の“引き出し及び収納が可能な多用途容器”が挙げられる。
【０００７】
大韓民国実用新案登録第０１７５５２３号に開示された化粧用品ケースは、これを成す内部構成の部品数だけでなく、ケースが上部、中間部、及び下部に分けられた３段でなって全体的に部品数が多く、分解及び組立過程が複雑であるという問題点があった。また、ブラシを外部で開閉させる芯カバーが操作部に別に嵌合される形式で構成されるため、使用の際に必要以上の力を加えてブラシを引き出す場合、芯カバーが操作部から分離されて離脱されることができるという問題点があった。
【０００８】
その後に本出願人が出願して登録を受けた、大韓民国特許登録第０３９３３０２号に開示された多用途ケース、及び大韓民国特許登録第０４９４６４０号に開示された引き出し及び収納が可能な多用途容器は、大韓民国実用新案登録第１７５５２３号に開示された化粧用品ケースの構成を補ったものである。しかし、前記のような問題点は依然として残っていた。
【０００９】
また、前記従来技術らはケースの外形が円形に限定されるものであるため、楕円形などの多様な形状を具現することができないことのほかに、多様な断面形状の具現が難しいため、多様な種類及びサイズを有するブラシを収容し、これをケースから引き出すか収納するのに限界があった。
【先行技術文献】
【特許文献】
【００１０】
【特許文献１】大韓民国実用新案登録第０１７５５２３号公報
【特許文献２】大韓民国特許登録第０３９３３０２号公報
【特許文献３】大韓民国特許登録第０４９４６４０号公報
【発明の概要】
【発明が解決しようとする課題】
【００１１】
したがって、本発明は前記のような問題点を解決するためになされたもので、ケースの内部に開閉部材を備えて、自動的なブラシの引き出し及び収納を可能にして、別途のキャップが必要でない使用の便利な多用途ケースを提供することを課題とする。
【００１２】
また、本発明は、中間ケースを無くして上部キャップと下部キャップの２段で構成し、上部キャップで芯部材及び回動部材を収容することができる構造を提供して、全体的な部品数を減らし、組立てを簡便にし、使用を便利にし、かつ製造コストを低めることができる多用途ケースを提供しようとする。
【００１３】
また、本発明は、前記のようなコンパクトな構造を備えながらも、簡単に下部を回転させるか引くことでブラシの開閉を可能にして、芯部材の前進後進動作及び開閉部材の前進後進動作に対する安全性を保障するとともに、使用上便利性を高めることができる多用途ケースを提供しようとする。
【００１４】
また、本発明は、ケースの外形を円形に限定しないで楕円形などの多様な形状への具現が可能な構造にして、多様な種類及びサイズを有する芯部材を備えることができる多用途ケースを提供しようとする。
【００１５】
また、本発明は、部品数を減らすだけでなく、各部品の構成要素間の緊密な連結を保障して、繰り返し使用の際にも故障がない多用途ケースを提供しようとする。
【００１６】
又、本発明は、ブラシなどの化粧用具だけでなく、筆記具などの文房用具にも易しく適用して使うことができる多用途ケースを提供しようとする。
【課題を解決するための手段】
【００１７】
本発明の一側面において、本発明は、収容部を備えた上部キャップ；前記上部キャップの下部を収容し、前方に開口が形成され、前記上部キャップとともにケースの外観をなす下部キャップ；及び内蔵部；を含んでなり、前記内蔵部は、前記下部キャップに固定され、上部キャップの出入口を開閉させる開閉部材；前記下部キャップに収容される回動部材；前記回動部材に収容され、下部キャップの運動によって前記回動部材が回転するとき、回動部材に形成された螺旋形溝に沿って上部キャップの外側に引き出される芯部材；を含んでなる、下部キャップの作動によって開閉操作可能な多用途ケースを提供する。
【００１８】
又、前記回動部材は、昇降する芯部材を収容し、内周面に前記螺旋形溝が形成された回動部と、前記回動部の下部に備えられ、開閉部材を移動させるための回動螺旋形突条が外周面に形成された回動棒とを含んでなり、前記回動棒が下部キャップに固定されて、下部キャップの回転運動に連動して一緒に回転する。
【００１９】
又、前記下部キャップにはキャップシートが形成され、前記開閉部材は前記キャップシートの上面に堅く結合されるので、前記下部キャップの運動に連動して上下移動する。
【００２０】
詳細には、前記下部キャップのキャップシートの内周面には回動突起が形成され、前記回動部材の外周面には前記回動突起にそって移動する螺旋形溝が形成される。
【発明の効果】
【００２１】
前述したように、本発明による多用途ケースは、簡単に下部キャップを回転または引くことでこれと連動する回動部材を回転させ、これにより芯部材を引き出してブラシを開閉して芯部材及び開閉部材の前進行進動作の安全性を保障するとともに、使用上の便宜性を高めることができるという利点がある。
【００２２】
又、本発明による多用途ケースは、中間ケースが無く上部キャップと下部キャップの２段で構成し、さらに上部キャップは、芯部材及び回動部材を収容することができる構造を備えることにより、全部品数を減らして、組み立てを簡便にし、使用が便利であり、製造コストを低めることができる多用途ケースである。さらに、各部品の構成要素間の緊密な連結を保障して、繰り返し使用の際にも故障がない多用途ケースを提供することができる。
【００２３】
又、本発明の多用途ケースは、ケースの外形を円形に限定しないで楕円形などの多様な形状への具現が可能な構造にして、多様な種類及びサイズを有する芯部材を収容することができる。
【００２４】
又、本発明の多用途ケースは、ブラシなどの化粧用具だけでなく筆記具などの文房用具にも応用することができる。
【図面の簡単な説明】
【００２５】
【図１】本発明の第１実施例による多用途ケースの分解斜視図である。
【図２】本発明による多用途ケースに備えられた芯部材の引出状態を示す斜視図である。
【図３】本発明による多用途ケースに備えられた芯部材の収容状態を示す斜視図である。
【図４】本発明の第２実施例による多用途ケースの分解斜視図である。
【図５】本発明の第２実施例による多用途ケースに備えられた芯部材の引出状態を示す斜視図である。
【図６】本発明の第２実施例による多用途ケースに備えられた芯部材の収容状態を示す斜視図である。
【図７】本発明の第２実施例による多用途ケースの部品をなす回動部材と下部キャップの他の具現例を示す分解斜視図である。
【図８】本発明の第２実施例による多用途ケースの部品をなす回動部材と下部キャップの他の具現例を示す分解斜視図である。
【図９】本発明の他の実施例による多用途ケースの部品をなす上部キャップの外観を示す斜視図である。
【図１０】本発明のさらに他の実施例による多用途ケースの部品をなす上部キャップの外観を示す斜視図である。
【発明を実施するための形態】
【００２６】
以下、添付図面を参照して本発明を詳細に説明する。
【００２７】
説明の便宜上、本発明による多用途ケースを説明するに際して、方向の基準を図２及び図３を参照して特定し、芯部材５０が配列された側を前方または上部、その反対側を後方または下部に決める。また、図６〜図１０は、本発明の第２実施例による多用途ケースを示すもので、図１〜図５に示す第１実施例と同様な機能及び作用を有する部分に対しては同一の名称と参照符号を付与する。
【００２８】
図面に示すように、本発明は、外装ケースが複雑な多段構成でない２段で構成され、図１０に示すように、キャップの外形が従来技術に開示されたケースのように円柱状に限定されるものでない。例えば、下部キャップはその外形を円柱状にしてもその上部は断面四角形に具現することができ、あるいはその断面を図９に示すような楕円形、または三角形など多くの多様な断面形状に具現することができる。本発明の多用途ケースのこれらの形状により、多用途ケースの使用の際に手で掴み易い、ケースを床に置いても転がりにくいなどの使用上便利性を高めることができる。
【００２９】
また、前記のような構成は、本発明の外部ケースが上部キャップと下部キャップの２段のみで構成されるので易しく具現可能であり、２段で構成して部品数を減らすことで製造コストを低めることができる。
【００３０】
また、前記のようなケースの多様な形状により、本発明による多用途ケースは多様な種類の芯部材を収容することができる。この利点を、より具体的に、芯部材としてブラシを使用している図１を参照して説明する。
【００３１】
一般に、ブラシは使用者の身体に接触する部分によってその形状が多様である。従来のブラシの例は、剛毛５２０ａが多くて剛毛支持部５２０ｂが厚い頬紅ブラシのほかに、前記頬紅ブラシより剛毛支持部５２０ｂの厚さが薄くて剛毛支持部５２０ｂの断面が円形でない変形された楕円形を持つ、通常に使われるアイブラシ、または剛毛５２０ａが少なくて剛毛支持部５２０ｂの厚さも薄いリップブラシなどの多様なサイズ及び形状を持つブラシが用いられている。特に、頬紅ブラシまたはアイブラシは剛毛も多く、その剛毛支持部の断面形状が円形に限定されるものではないため、従来のケースに適用するのには限界があった。しかし、本発明においては、ケース外装の中で、特に芯部材５０が収容される部分の上部キャップ１０の断面を円形に限定せず、芯部材の種類によって四角形、楕円形などの多様な形状に具現することで、全体として芯部材が収容される空間も広げられて多様な芯部材の収容が可能となるので、従来ケースが持っていた限界を克服することができる。
【００３２】
以下、図１を参照して本発明による多用途ケースの内部構造を詳細に説明する。
【００３３】
本発明の多用途ケースは、上部キャップ１０、開閉部材２０、回動部材３０、下部キャップ４０、及び芯部材５０からなる。
【００３４】
前記下部キャップ４０は、上部キャップ１０との一部結合のために前方が開口した形態であり、上部キャップ１０も下部キャップ４０との結合のために後方が開口した形態である。さらに前方も芯部材５０の引き出しのために開口した形態を持ち、内部には収容部１０ａが形成される。好ましくは、上部キャップ１０の前方は内外径が徐々に縮小し、芯部材が引き出される出入口１８は切頭された円錐形を成す。結局、上部キャップ１０と下部キャップ４０は管状を取ることが一般的であるが、前述したように、上部キャップ１０はその断面が円形に限定されずに芯部材の種類によって四角形、楕円形などの多様な断面を持つ管状が可能である。
【００３５】
すなわち、本発明における上部キャップ１０の内部には、芯部材５０と回動部材３０を収容することができる構造を備えることで、芯部材５０と回動部材３０を収容するための別途の構成部品が必要であった従来の多用途ケースとは異なるものである。
【００３６】
したがって、前記のような構造によって発明を構成する部品数は５種となり、複雑で部品数の多い従来技術よりは製造コストが低くなり、製造及び組立の作業も簡素化するという効果がある。
【００３７】
また、本発明の前記回動部材３０は、内周面に螺旋形溝３４が形成され、昇降する芯部材５０を収容する回動部３２０と、前記回動部３２０に連結され、外周面に回動螺旋形突条３２が形成された回動棒３４０と、からなる。そして、前記回動棒３４０は下部キャップ４０に固定され、下部キャップ４０の回転によって一緒に回転する。
【００３８】
また、前記回動部材３０の回動部３２０の外周面には環状突起３３が形成され、これは上部キャップ１０の内周に形成された環状溝１３に結合されることにより、下部キャップ４０を回転させる場合、上部キャップ１０が固定された状態で前記回動部材のみ空回転するようにする。構成によっては、前記回動部材の回動部３２０の外周面に環状溝を形成し、上部キャップ１０の内周面に環状突起を形成することで、これらを結合させることができるが、組立ての容易性のためには、回動部３２０の外周面に環状突起３３を形成し、上部キャップ１０の内周面に環状溝１３を形成し、これらを結合させることが好ましい。
【００３９】
芯部材５０は芯５２０と押し棒５４０からなる。本発明のケースが化粧用ブラシのためのケースの場合、前記芯５２０は使用者の身体と接触する剛毛５２０ａと剛毛支持部５２０ｂからなることができる。後述するが、本発明のケースが文房具用筆記具のケースとして使われる場合には、前記剛毛５２０ａの代わりにボールペン芯または鉛筆芯などが使用できる。
【００４０】
前記芯部材５０の押し棒５４０の下部外周面には螺旋形突条５４が形成され、これを収容する回動部材３０の回動部３２０の内周面には螺旋形溝３４が形成されることにより、下部キャップ４０が回転する場合、回動部材３０が一緒に回転し、前記螺旋形突条５４は螺旋形溝３４に沿って芯部材５０を移動させることになる。
【００４１】
この場合、前記回動部材３０が回転しても、これに連結された芯部材５０は直線運動しながら昇降する。
【００４２】
これは、上部キャップ１０の内部には前記芯部材５０の移動路を提供する案内溝１１が形成され、前記芯部材５０、特に押し棒５４０の上部外周面には前記案内溝１１に沿ってスライドする案内突起５１が形成されることにより、回動部材による回転運動を芯部材の直線運動に変換する構造であるからである。
【００４３】
すなわち、芯部材の押し棒５４０の下部に形成された螺旋形突条５４は回動部材３０の回動部３２０の内周面に形成された螺旋形溝３４に沿って回動部内部を移動することになる。この際、上部キャップに形成された直線状の案内溝１１によって回動部材３０が回転するが、芯部材５０が前記回動部材の螺旋形溝３４に沿って動くとともに案内突起５１が上部キャップ１０の案内溝１１に沿って動くことにより、芯部材は直線状に昇降運動をすることになる。
【００４４】
また、前記芯部材５０が出入口１８の外部に引き出されるに際して、回動部材３０の最上端には停止端部３６０が形成されることで、前記芯部材の螺旋形突条５４が回動部材の回動部３２０を通過しても最後に前記停止端部３６０にかかることにより離脱が防止される。
【００４５】
前記回動部材３０の螺旋形溝３４の上端には芯部材の螺旋形突条５４が滞留することができる溝状の滞留空間（図示せず）をさらに備えることで、前記上部キャップ出入口１８を通して前方に露出された芯部材５０が一定圧力以上の場合にだけ上部キャップの内部に収容されるようにすることが好ましい。
【００４６】
また、前記芯部材の案内突起５１と螺旋形突条５４は上下に同一方向に形成されるものではなくて互いにずれた方向に形成されるので、芯部材５０を回動部材３０と上部キャップ１０に結合させることが易しくでき、螺旋形突条５４が前記停止端部３６０によって停止し、回動部材３０から離脱しないようにすることが好ましい。
【００４７】
つぎに、従来のケースのキャップの役目をする開閉部材２０を説明する。
【００４８】
本発明の開閉部材２０は、前記上部キャップの出入口１８の内径に対応するサイズの断面を持つ開閉ヘッド２２０と、前記開閉ヘッドに連結されるスライドバー２４０と、前記スライドバーの下端に結合される嵌合部２６０とを含んでなる。
【００４９】
前記嵌合部２６０の内周面には前記回動部材３０の回動螺旋形突条３２に対応する回動螺旋形溝２２が形成される。
【００５０】
よって、前記嵌合部２６０が回動棒３４０に沿って昇降するように構成される。
【００５１】
ここで、回動棒３４０の回転によって、これに連結される嵌合部２６０も回転する構成なので、嵌合部２６０の回転を防止するとともに直線方向への昇降を誘導するために別途の構成を必要とする。
【００５２】
前記嵌合部２６０の外周面には回転防止突起２５が形成され、前記上部キャップ１０の内周面には前記回転防止突起２５の収容のための直線状の回転防止溝１５が形成される。
【００５３】
よって、回動棒３４０が回転しても、前記回転防止突起２５が回転防止溝１５に沿って直線運動をするように誘導して、前記開閉部材、つまり嵌合部２６０が人為的に直線方向に昇降するようにする。
【００５４】
また、前記開閉ヘッドが上部キャップの出入口１８を効率よく開閉させるためには、前記上部キャップ１０の内外径が前方に徐々に縮小する切頭状の円錐形を成して出入口１８を形成する形態が好ましい。
【００５５】
前記出入口１８が、前記開閉ヘッド２２０によって閉鎖され、前記下部キャップ４０及び回動部材３０が回転されれば、前記開閉部材２０の回転防止突起２５が上部キャップの内周面の回転防止溝１５に沿って自然に下降し前記出入口は開放される。
【００５６】
前記本発明は化粧用ブラシに基づいて説明したが、本発明によるケースは筆記具のケースにも活用可能である。この場合、引出状態での安定した芯部材の固定のために、芯部材５０の外周面にはスプリングを備えることが好ましい。
【００５７】
すなわち、化粧用ブラシよりは筆記具として使われる場合、使用者からのより高い圧力がケースまたは芯部材に伝達されるため安定した筆記具を提供するのに制限があり得るが、本発明ではこのような問題点を解決するために、芯部材の外周面、より具体的には螺旋形突条５４の上部である押し棒５４０の外周面に２回程度巻かれたスプリングを備えることで、芯部材５０の螺旋形突条５４が滞留溝（図示せず）にかかって芯部材が引出状態にある場合、螺旋形突条の上部と回動部材の停止端部３６０の下部との間に位置するスプリングによって芯部材が引き出された状態で安定に維持可能である。
【００５８】
以下、以上のような本発明による多用途ケースの作用を図２及び図３を参照して説明する。
【００５９】
図２は芯部材５０が引き出された状態を示す。下部キャップ４０を回転させることにより、これと連動する回動部材３０が上部キャップ１０の環状溝１３に結合された状態で空回転し、これにより回動部材の回動部３２０の内周面に収容された芯部材５０の螺旋形突条５４が螺旋形溝３４に沿って移動するとともに芯部材の案内突起５１が上部キャップの案内溝１１に沿って直線方向に上昇することになり、芯部材は上部キャップの出入口１８を通過して外部にまで引き出される。
【００６０】
この場合、開閉部材２０は前記芯部材の移動方向とは反対に下降する。開閉部材２０の嵌合部２６０の内周面に形成された回動螺旋形溝２２が回動部材の回動螺旋形突条３２に沿って下降し、開閉ヘッド２２０も下降して上部キャップの出入口を開放することになり、芯部材５０は外部に引き出される。
【００６１】
もちろん、前述したように、前記開閉部材も回転防止突起２５と上部キャップ内周面に形成された回転防止溝１５によって直線運動しながら下降する。
【００６２】
反対方向に下部キャップ４０を回転させる場合、図３に示すように、前記芯部材が下降し、開閉部材は嵌合部２６０が回動螺旋形突条３２に沿って上昇することにより前記上部キャップの出入口１８を閉鎖することになる。
【００６３】
前記のような作動を実現するために、多様な芯部材を収容するためにかつ使用時の便宜性を高めるために、上部キャップの断面を円形から逸脱して多様な形状にする場合であっても、回転する部分の断面は円形に構成しなければならない。
【００６４】
すなわち、各部品が結合して回転する部分であると言える上部キャップ１０において回動部材が収容される部分、回動部材３０、及び前記回動棒に対応する開閉部材の嵌合部２６０の内周面は回転の特性上断面が円形に限定されなければならない。
【００６５】
その他の部分は、芯部材の多様なサイズ及び形状、かつ使用時の外観及び便利性を考慮して、多様な形状を持つ断面の具現が可能である。
【００６６】
以下、本発明の第２実施例を図４〜８を参照して説明する。以下に説明する本発明の多用途ケースは、前述した多用途ケースとは異なり、下部キャップを引くことで回動部材を回動させ、内部に収容された芯部材を引き出すように構成される。
【００６７】
図４を参照すれば、上部キャップ１０と、前記上部キャップ１０の下部一部を取り囲む形態で上部キャップと結合され、前記上部キャップの定置のためのキャップシート４５を備えた下部キャップ４０と、前記下部キャップ４０の後進の際に、前記下部キャップ４０のキャップシート４５の内周面４５ａに形成された螺旋形溝４２に沿って回転しながら前進する回動突条３６が形成された回動部材３０と、前記上部キャップ１０の収容部１５に収容され、回動部材３０の回転によって引き出される芯部材５０と、開閉ヘッド２２０、前記開閉ヘッドにつながるスライドバー２４０、及び前記スライドバーを前記下部キャップのキャップシート４５に固定させるための嵌合部２６０からなり、前記下部キャップ４０の後進の際に、これと一緒に昇降する開閉部材２０とから構成される。
【００６８】
つぎに、回動部材３０の構成を説明する。
【００６９】
回動部材の内周面には螺旋形溝３４が形成され、後述する芯部材５０の螺旋形突条５４は螺旋形溝３４に沿って上下に移動可能である。
【００７０】
回動部材の外周面には回動突条３６が形成され、下部キャップ４０のキャップシート４５の内周面４５ａに形成された螺旋形溝４２が前記回動突条３６に沿って動いて下部キャップが上下に移動することになる。前記回動部材の円滑な回転運動のために、下部キャップのキャップシートの内周面４５ａに形成された螺旋形溝４２はキャップシートの内周面の全面にわたって形成される必要がなく、内周面の上部にだけ形成されることが好ましい。
【００７１】
すなわち、本発明では、上部キャップ１０を一つの手で掴み、他の手で下部キャップ４０を下側に引く場合、回動部材３０に形成された回動突条３６が下部キャップのキャップシートの内周面４５ａに形成された螺旋形溝４２に沿って移動するようになっており、前記移動によって回動部材の内部に収容された芯部材５０が引き出される。
【００７２】
よって、回動部材３０の上部に形成された回動突条３６に前記下部キャップ４０の螺旋形溝４２が位置している場合には、本発明によるケースの全長が最も短い状態となる。
【００７３】
しかし、芯部材の引き出しのために、回動突条３６が螺旋形溝４２に沿って動くことで回動部材が回転しながら上昇する場合には、ケースの全長が長くなる。
【００７４】
したがって、前記のような構成によれば、従来技術のように別途の回動のための雄ネジの形態である螺旋回転運動部が必要ではないので、結局芯部材が収納された状態では従来技術の雄ネジの長さだけケースの全長が減少するという効果を得ることができる。
【００７５】
もちろん、前記回動部材３０とこれを収容する下部キャップ４０の構成を、具現形態によっては、図７に示すように、回動部材の外周面の下端部に回動突条３６ａを形成し、下部キャップのキャップシートの内周面４５ａの全面にこれに対応する螺旋形溝４２ａを形成することで、下部キャップ４０が下側に引かれる場合、回動部材３０が回転しながら上昇するようにすることができる。この場合にも円滑な回動部材の回転のために、回動突条３６ａは回動部材の外周面下端に１段で形成することが好ましい。
【００７６】
また、図１０に示すように、回動部材の本体３２０から離隔した別途の回動板３４０を構成し、前記回動板の外周面に回動突条３６ａを備えることにより、回動部材の回転昇降運動ができるようにすることもできる。
【００７７】
以下、開閉部材２０を説明する。
【００７８】
前記開閉部材２０は、前記上部キャップの出入口１８の内径に対応するサイズの断面を持つ開閉ヘッド２２０と、前記開閉ヘッドに連結されるスライドバー２４０と、前記スライドバーの下端に結合される嵌合部２６０とを含んでなる。
【００７９】
前記嵌合部２６０は下部キャップ４０のキャップシートの上面４５ｂに堅く結合されるので、下部キャップが引かれる場合、前記開閉部材２０が一緒に下側に移動して上部キャップ１０の出入口１８を開放することになる。
【００８０】
また、前記開閉ヘッドが上部キャップの出入口１８を効率よく開閉させるためには、前記上部キャップ１０は前方に内外径が徐々に縮小する切頭状の円錐形を成して出入口１８を形成する形態が好ましい。
【００８１】
以下、以上のような本発明第２実施例による多用途ケースの作用を図５及び図６を参照して説明する。
【００８２】
図５は芯部材５０が外部に引出された状態を示す。
【００８３】
使用者は一つの手で上部キャップ１０を掴み、他の手で下部キャップ４０を掴んで下部キャップ４０を下側に引く。下部キャップ４０を下側に引けば、下部キャップと一体的に結合されている開閉部材２０が一緒に下側に後進することになり、開閉部材の開閉ヘッド２２０は下側に引かれて、閉鎖していた上部キャップの出入口１８を開放することになる。
【００８４】
下部キャップ４０が下側に後進することにより、下部キャップに収容されていた回動部材３０の回動突条３６が下部キャップのキャップシートの内周面４５ａに形成された螺旋形溝４２に添って上側に進む。同時に、回動部材３０の内部に収容されていた芯部材５０の螺旋形突条５４が回動部材３０の螺旋形溝３４に沿って上昇することにより芯部材５０が外部に引き出される。この状態で、芯部材５０は回動部材の螺旋形溝３４の上端に形成された滞留溝（図示せず）にかかることにより、一定圧力以上の圧力が加わらない限り下側に下降しない。
【００８５】
逆に、図６に示すように、上部キャップ１０を固定した状態で、下側に引かれた下部キャップ４０を上側に引き上げれば、下部キャップに固定されている開閉部材２０も上側に上昇し、開閉部材の開閉ヘッド２２０は出入口１８を閉鎖することになる。
【００８６】
下部キャップ４０の上昇により、下部キャップのキャップシートの上端に位置する回動部材３０の回動突条３６がキャップシートの内周面４５ａに形成された螺旋形溝４２に沿って下降し、これに連結された芯部材の螺旋形突条５４も回動部材の螺旋形溝３４に沿って下側に下降し、最後には、図３に示すように、芯部材５０、回動部材３０がいずれも下部キャップ４０に収容されることにより、ケースは最も短い長さを持つことになる。
【符号の説明】
【００８７】
１０：上部キャップ
２０：開閉部材
３０：回動部材
４０：キャップ部材
５０：芯部材
１０ａ：収容部
１１：案内溝
１３：環状溝
１５：回転防止溝
２２０：開閉ヘッド
２４０：スライドバー
２６０：嵌合部
２２：回動螺旋形溝
２５：回転防止突起
３２０：回動部
３４０：回動棒
３６０：停止端部
３０ａ：停止端部
３３：環状突起
３４：螺旋形溝
３６：回動突条
４２：螺旋形溝
４５：キャップシート
５１：案内突起
５４：螺旋形突条
【図１】
2011523367.tif 000003
【図２】
2011523367.tif 000004
【図３】
2011523367.tif 000005
【図４】
2011523367.tif 000006
【図５】
2011523367.tif 000007
【図６】
2011523367.tif 000008
【図７】
2011523367.tif 000009
【図８】
2011523367.tif 000010
【図９】
2011523367.tif 000011
【図１０】
2011523367.tif 000012
【国際調査報告】
2011523367.tif 000013
2011523367.tif 000014